(57)【要約】      （修正有）【課題】電源が遮断された室内ユニットに給電ユニットから電力が効率的に供給することができる空調システムを提供する。【解決手段】空調システムは、冷媒サイクルと、給電ユニットと、コントローラとを備える。冷媒サイクルは、室外ユニット、及び、複数の室内ユニットを有する。複数の室内ユニットのそれぞれは、膨張弁を含む。給電ユニットは、複数の室内ユニットの少なくとも一部への電源が遮断された場合に、電源が遮断された室内ユニットに補助電源の供給を行う。コントローラは、複数の室内ユニットの少なくとも一部への電源が遮断されたときにおける、電源が遮断された室内ユニットの膨張弁の駆動を、膨張弁の開度が大きい順に設定された優先順位に従って行う。【選択図】図３
2020197323.tif 000002
【特許請求の範囲】
【請求項１】
室外ユニット（１０）、及び、複数の室内ユニット（３０）を有する冷媒サイクル（ＲＣ）と、
複数の前記室内ユニットの少なくとも一部への電源が遮断された場合に、電源が遮断された前記室内ユニットに補助電源の供給を行う給電ユニット（４０）と、
コントローラ（６０）と、
を備え、
複数の前記室内ユニットのそれぞれは、膨張弁（３２）を含み、
前記コントローラは、複数の前記室内ユニットの少なくとも一部への電源が遮断されたときにおける、電源が遮断された前記室内ユニットの前記膨張弁の駆動を、前記膨張弁の開度が大きい順に設定された優先順位に従って行う、
空調システム（１００）。
【請求項２】
前記コントローラは、前記膨張弁の開度が同じ場合、前記室内ユニットの容量が大きい順に設定された優先順位に従って前記駆動を行う、
請求項１に記載の空調システム。
【請求項３】
前記コントローラは、前記室内ユニットの容量が同じ場合、前記室内ユニットに割り当てられたＩＤに基づいて設定された優先順位に従って前記駆動を行う、
請求項２に記載の空調システム。
【請求項４】
前記コントローラは、
冷房運転時において、前記室外ユニットから前記室内ユニットへの指示、前記室内ユニットからの前記室内ユニットの停止動作の要求、前記室内ユニットからのゴミ噛み抑制制御の要求、及び、前記室内ユニットからの前記膨張弁の増し締め制御の要求の順に従って前記駆動を行い、
暖房運転時において、前記室外ユニットから前記室内ユニットへの指示、前記室内ユニットからの前記室内ユニットの停止動作の要求、前記室内ユニットからの液溜まり抑制制御の要求、及び、前記室内ユニットからの前記膨張弁の増し締め制御の要求の順に従って前記駆動を行う、
請求項１から３のいずれか１項に記載の空調システム。
【請求項５】
前記コントローラは、前記駆動が行われている前記室内ユニットの状態に応じて前記優先順位を設定する、
請求項１から４のいずれか１項に記載の空調システム。
【発明の詳細な説明】
【技術分野】
【０００１】
空調システム
【背景技術】
【０００２】
従来、特許文献１（特開２０１３−４０６９８号公報）に開示されるように、一部の室内ユニットの電源が遮断されても空調運転を継続することができる空調システムが知られている。
【発明の概要】
【発明が解決しようとする課題】
【０００３】
一部の室内ユニットの電源が遮断され、電源が遮断された室内ユニットに給電ユニット等から電力が供給される際に、優先されるべき制御に関する検討が十分でないため電力供給の効果が小さくなる課題がある。
【課題を解決するための手段】
【０００４】
第１観点の空調システムは、冷媒サイクルと、給電ユニットと、コントローラとを備える。冷媒サイクルは、室外ユニット、及び、複数の室内ユニットを有する。複数の室内ユニットのそれぞれは、膨張弁を含む。給電ユニットは、複数の室内ユニットの少なくとも一部への電源が遮断された場合に、電源が遮断された室内ユニットに補助電源の供給を行う。コントローラは、複数の室内ユニットの少なくとも一部への電源が遮断されたときにおける、電源が遮断された室内ユニットの膨張弁の駆動を、膨張弁の開度が大きい順に設定された優先順位に従って行う。
【０００５】
第１観点の空調システムは、電源が遮断された室内ユニットに給電ユニットから電力を効率的に供給することができる。
【０００６】
第２観点の空調システムは、第１観点の空調システムであって、コントローラは、膨張弁の開度が同じ場合、室内ユニットの容量が大きい順に設定された優先順位に従って、膨張弁の駆動を行う。
【０００７】
第２観点の空調システムは、電源が遮断された室内ユニットに給電ユニットから電力を効率的に供給することができる。
【０００８】
第３観点の空調システムは、第２観点の空調システムであって、コントローラは、室内ユニットの容量が同じ場合、室内ユニットに割り当てられたＩＤに基づいて設定された優先順位に従って、膨張弁の駆動を行う。
【０００９】
第３観点の空調システムは、電源が遮断された室内ユニットに給電ユニットから電力を効率的に供給することができる。
【００１０】
第４観点の空調システムは、第１乃至第３観点のいずれか１つの空調システムであって、コントローラは、冷房運転時において、室外ユニットから室内ユニットへの指示、室内ユニットからの室内ユニットの停止動作の要求、室内ユニットからのゴミ噛み抑制制御の要求、及び、室内ユニットからの膨張弁の増し締め制御の要求の順に従って、膨張弁の駆動を行う。コントローラは、暖房運転時において、室外ユニットから室内ユニットへの指示、室内ユニットからの室内ユニットの停止動作の要求、室内ユニットからの液溜まり抑制制御の要求、及び、室内ユニットからの膨張弁の増し締め制御の要求の順に従って、膨張弁の駆動を行う。
【００１１】
第４観点の空調システムは、電源が遮断された室内ユニットに給電ユニットから電力を効率的に供給することができる。
【００１２】
第５観点の空調システムは、第１乃至第４観点のいずれか１つの空調システムであって、コントローラは、膨張弁の駆動が行われている室内ユニットの状態に応じて優先順位を設定する。
【００１３】
第５観点の空調システムは、電源が遮断された室内ユニットに給電ユニットから電力を効率的に供給することができる。
【図面の簡単な説明】
【００１４】
【図１】第１実施形態に係る空調システム１００の概略構成図である。
【図２】開度変更制御の優先順位を説明するための図である。
【図３】優先順位ＰＡ１における開度変更制御を行う場合における、開度変更順位の設定の手順を表す図である。
【図４】優先順位ＰＡ２〜ＰＡ４における開度変更制御を行う場合における、開度変更順位の設定の手順を表す図である。
【図５】空調システム１００全体の運転の制御フローを表す図である。
【図６】第２実施形態に係る空調システム１００の概略構成図である。
【図７】変形例Ｂにおける、優先順位ＰＡ１における開度変更順位の設定の手順を表す図である。
【図８】変形例Ｅに係る空調システム１００の概略構成図である。
【発明を実施するための形態】
【００１５】
―第１実施形態―
第１実施形態に係る空調システム１００について、図面を参照しながら説明する。
【００１６】
（１）空調システム１００の構成
図１は、本実施形態の空調システム１００の概略構成図である。空調システム１００は、家屋、ビル、工場又は公共施設等の建物内に含まれる対象空間において冷房及び暖房等の空気調和を実現するシステムである。
【００１７】
空調システム１００は、冷媒が循環する冷媒回路ＲＣを含む。空調システム１００は、冷媒回路ＲＣにおいて冷媒を循環させて蒸気圧縮方式の冷凍サイクルを行うことにより、対象空間の冷房又は暖房を行う。冷媒回路ＲＣには、Ｒ４１０Ａ、Ｒ３２又はアンモニア等の冷媒が封入されている。
【００１８】
空調システム１００は、主として、熱源ユニットとしての１台の室外ユニット１０と、利用ユニットとしての複数台（図１では３台）の室内ユニット３０（３０ａ，３０ｂ，３０ｃ）と、１台の給電ユニット４０と、複数台（図１では３台）のリモコン５０と、コントローラ６０とを備えている。空調システム１００の冷媒回路ＲＣは、室外ユニット１０と各室内ユニット３０とがガス連絡配管ＧＰ及び液連絡配管ＬＰによって接続されることで構成されている。言い換えると、空調システム１００は、同一冷媒系統に複数の室内ユニット３０が接続された、マルチタイプ（マルチテナント）の空調システムである。
【００１９】
（１−１）室外ユニット１０
室外ユニット１０は、室外（対象空間外）に設置される室外機である。室外ユニット１０は、主として、複数の冷媒配管（第１配管Ｐ１〜第５配管Ｐ５）と、圧縮機１１と、四路切換弁１２と、室外熱交換器１３と、室外ファン１５と、室外ユニット制御部１７とを有している。
【００２０】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側と液連絡配管ＬＰとを接続する冷媒配管である。
【００２１】
圧縮機１１は、低圧のガス冷媒を吸入し、圧縮して吐出する機構である。圧縮機１１は、圧縮機モータ１１ａが内蔵された密閉式の構造を有している。圧縮機１１では、圧縮機ケーシング（図示省略）内に収容されたロータリ式又はスクロール式等の圧縮要素（図示省略）が、圧縮機モータ１１ａを駆動源として駆動される。圧縮機モータ１１ａは、運転中、インバータ制御され、状況に応じて回転数が調整される。圧縮機１１は、駆動時に、吸入ポートから冷媒を吸入し、圧縮し、吐出ポートから吐出する。
【００２２】
四路切換弁１２は、冷媒回路ＲＣにおいて冷媒の流れる方向を切り換えるための弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００２３】
室外熱交換器１３は、冷房運転時には冷媒の凝縮器又は放熱器として機能し、暖房運転時には冷媒の蒸発器として機能する熱交換器である。室外熱交換器１３は、冷媒が流れる伝熱管（図示省略）と、伝熱面積を増大する伝熱フィン（図示省略）とを含む。室外熱交換器１３は、運転時において、伝熱管内の冷媒と、室外ファン１５によって生成される空気流とが熱交換可能なように配置されている。
【００２４】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００２５】
室外ユニット制御部１７は、ＣＰＵ及びメモリ等から構成されるマイクロコンピュータである。室外ユニット制御部１７は、室外ユニット１０の各アクチュエータの動作を制御する。室外ユニット制御部１７は、各室内ユニット３０の室内ユニット制御部３４（後述）と、通信線ｃｂ１，ｃｂ２及び給電ユニット４０を介して接続されており、相互に信号の送受信を行う。
【００２６】
（１−２）室内ユニット３０
室内ユニット３０（３０ａ，３０ｂ，３０ｃ）は、対象空間に設置される室内機である。室内ユニット３０は、室外ユニット１０とともに冷媒回路ＲＣを構成している。室内ユニット３０は、主として、室内熱交換器３１と、膨張弁３２（３２ａ，３２ｂ，３２ｃ）と、室内ファン３３と、室内ユニット制御部３４とを有している。
【００２７】
室内熱交換器３１は、冷房運転時には冷媒の蒸発器として機能し、暖房運転時には冷媒の凝縮器又は放熱器として機能する熱交換器である。室内熱交換器３１は、例えばクロスフィンチューブ熱交換器である。室内熱交換器３１の液側は、膨張弁３２（３２ａ，３２ｂ，３２ｃ）まで延びる冷媒配管に接続されている。室内熱交換器３１のガス側は、ガス連絡配管ＧＰまで延びる冷媒配管に接続されている。室内熱交換器３１は、運転時において、伝熱管（図示省略）内の冷媒と、室内ファン３３によって生成される空気流とが熱交換可能なように配置されている。
【００２８】
膨張弁３２（３２ａ，３２ｂ，３２ｃ）は、開度調整が可能な電動弁である。膨張弁３２は、運転時において、状況に応じて開度が適宜調整され、開度に応じて冷媒を減圧する。各室内ユニット３０は、１つの膨張弁３２を有している。具体的には、室内ユニット３０ａは、膨張弁３２ａを有し、室内ユニット３０ｂは、膨張弁３２ｂを有し、室内ユニット３０ｃは、膨張弁３２ｃを有している。膨張弁３２ａ，３２ｂ，３２ｃは、それぞれ、対応する室内ユニット３０ａ，３０ｂ，３０ｃの運転状況に応じて開度が適宜調整される。
【００２９】
膨張弁３２は、室内熱交換器３１の液側まで延びる冷媒配管、及び、液連絡配管ＬＰまで延びる冷媒配管に接続されている。液連絡配管ＬＰは、室外ユニット１０の第５配管Ｐ５と、各膨張弁３２とを接続する。液連絡配管ＬＰの一端は、第５配管Ｐ５と接続され、液連絡配管ＬＰの他端は、膨張弁３２の数に応じて分岐して各膨張弁３２と個別に接続されている。
【００３０】
室内ファン３３は、例えばターボファン、シロッコファン、クロスフローファン又はプロペラファン等の送風機である。室内ファン３３は、室内ファンモータ３３ａの出力軸に接続されている。室内ファン３３は、室内ファンモータ３３ａに連動して駆動する。室内ファン３３は、駆動すると、室内ユニット３０内に吸い込まれて室内熱交換器３１を通過した後に対象空間へと吹き出される空気流を生成する。
【００３１】
室内ユニット制御部３４は、ＣＰＵ及びメモリ等から構成されるマイクロコンピュータである。室内ユニット制御部３４は、室内ユニット３０の各アクチュエータの動作を制御する。各室内ユニット制御部３４は、室外ユニット制御部１７と、通信線ｃｂ１，ｃｂ２及び給電ユニット４０を介して接続されており、相互に信号の送受信を行う。室内ユニット制御部３４は、リモコン５０と無線通信を行う。
【００３２】
室内ユニット３０の室内ユニット制御部３４は、当該室内ユニット３０の膨張弁３２と通信線（図示省略）を介して接続されており、当該膨張弁３２の開度を調整することができる。
【００３３】
（１−３）給電ユニット４０
給電ユニット４０は、室外ユニット制御部１７及び各室内ユニット制御部３４と、通信線ｃｂ１，ｃｂ２を介して接続されている。具体的には、通信線ｃｂ１は、給電ユニット４０と室外ユニット制御部１７とを接続しており、通信線ｃｂ２は、室内ユニット制御部３４の数に応じて分岐し、給電ユニット４０と各室内ユニット制御部３４とを接続している。通信線ｃｂ１は、給電ユニット４０を介して通信線ｃｂ２に接続されている。
【００３４】
各室内ユニット３０は、建物に設置されている外部の商用電源（図示省略）に接続されている。室内ユニット３０は、正常運転時には商用電源から供給された電力によって稼動している。給電ユニット４０は、複数の室内ユニット３０の少なくとも一部への商用電源が遮断された場合、言い換えると、少なくとも１つの室内ユニット３０への商用電源からの電力供給が停止した場合に、商用電源（以下、単に「電源」と呼ぶ。）が遮断された室内ユニット３０に電力を供給するための補助電源である。通信線ｃｂ２は、室外ユニット制御部１７と各室内ユニット制御部３４との間で送受信される信号の他に、給電ユニット４０から各室内ユニット３０に供給される電力を伝送する。
【００３５】
（１−４）リモコン５０
リモコン５０は、ＣＰＵ及びメモリ等から構成されるマイクロコンピュータを含むリモコン制御部（図示省略）と、空調システム１００へ各種コマンドを入力するための入力キーを含むリモコン入力部（図示省略）とを有するデバイスである。
【００３６】
空調システム１００は、室内ユニット３０と同数のリモコン５０を有している。リモコン５０は、いずれかの室内ユニット３０と一対一で対応づけられている。リモコン５０は、対応する室内ユニット３０の室内ユニット制御部３４と、赤外線及び電波等を用いて無線通信を行う。リモコン５０は、ユーザ及び管理者等によってリモコン入力部へコマンドが入力されると、入力されたコマンドに応じて、所定の信号を室内ユニット制御部３４に送信する。
【００３７】
（１−５）コントローラ６０
空調システム１００では、室外ユニット１０の室外ユニット制御部１７と、各室内ユニット３０（３０ａ，３０ｂ，３０ｃ）の室内ユニット制御部３４とが通信線ｃｂ１，ｃｂ２及び給電ユニット４０を介して接続されることで、コントローラ６０が構成されている。コントローラ６０は、空調システム１００の動作を制御する。
【００３８】
（２）空調システム１００の運転
いずれかのリモコン５０に運転開始コマンドが入力され、コントローラ６０によって冷房運転又は暖房運転に係る制御が実行されると、四路切換弁１２が所定の状態に切り換えられ、圧縮機１１及び室外ファン１５が起動する。その後、運転開始コマンドが入力されたリモコン５０に対応する室内ユニット３０が運転状態（室内ファン３３が稼動している状態）となる。
【００３９】
（２−１）冷房運転
冷房運転時には、四路切換弁１２が冷房サイクル状態（図１の四路切換弁１２の実線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。
【００４０】
室外熱交換器１３に流入した冷媒は、室外ファン１５が生成する空気流と熱交換して凝縮する。室外熱交換器１３から流出した冷媒は、第５配管Ｐ５及び液連絡配管ＬＰを通過して、各室内ユニット３０に流入する。
【００４１】
室内ユニット３０に流入した冷媒は、膨張弁３２に流入する。膨張弁３２に流入した冷媒は、膨張弁３２の開度に応じて減圧される。膨張弁３２から流出した冷媒は、室内熱交換器３１に流入し、室内ファン３３によって生成される空気流と熱交換して蒸発する。室内熱交換器３１から流出した冷媒は、ガス連絡配管ＧＰを通過して室外ユニット１０に流入する。
【００４２】
室外ユニット１０に流入した冷媒は、第１配管Ｐ１、四路切換弁１２、及び第２配管Ｐ２を通過して、再び圧縮機１１に吸入されて圧縮される。
【００４３】
（２−２）暖房運転
暖房運転時には、四路切換弁１２が暖房サイクル状態（図１の四路切換弁１２の破線で示された状態）に切り換えられる。この状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１及びガス連絡配管ＧＰを通過して各室内ユニット３０に流入する。
【００４４】
室内ユニット３０に流入した冷媒は、室内熱交換器３１に流入し、室内ファン３３が生成する空気流と熱交換して凝縮する。室内熱交換器３１から流出した冷媒は、膨張弁３２に流入し、膨張弁３２の開度に応じて減圧される。膨張弁３２から流出した冷媒は、液連絡配管ＬＰを通過して室外ユニット１０に流入する。
【００４５】
室外ユニット１０に流入した冷媒は、第５配管Ｐ５を通過して室外熱交換器１３に流入する。室外熱交換器１３に流入した冷媒は、室外ファン１５によって生成される空気流と熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００４６】
（３）コントローラ６０の詳細
次に、四路切換弁１２が冷房サイクル状態にある場合において、複数の室内ユニット３０の少なくとも一部への電源が遮断された時（以下、「電源遮断時」と呼ぶ。）における、コントローラ６０による空調システム１００の動作の制御について説明する。ここで、「四路切換弁１２が冷房サイクル状態にある場合」は、空調システム１００が冷房運転をしている間、又は、空調システム１００が暖房運転後にデフロスト運転をしている間に相当する。
【００４７】
コントローラ６０は、電源遮断時において、電源が遮断された室内ユニット３０（以下、「電源遮断室内ユニット３０」と呼ぶ。）の膨張弁３２の開度を変更する制御（以下、「開度変更制御」と呼ぶ。）を行う。具体的には、コントローラ６０は、電源遮断時において、各電源遮断室内ユニット３０の膨張弁３２の開度を低減して、膨張弁３２を絞る、又は、膨張弁３２を閉じる開度変更制御を行う。これにより、室外ユニット１０の吸入配管（第１配管Ｐ１）に流れ込む液冷媒の量が低減し、かつ、電源遮断室内ユニット３０で発生するドレン水の発生量が低減する。
【００４８】
コントローラ６０は、図２に示される優先順位に従って開度変更制御を行う。図２において、開度変更制御の優先順位は、参照符号ＰＡ１〜ＰＡ４で示され、参照符号中の数字が小さいほど優先順位が上である。言い換えると、優先順位ＰＡ１は最も順位が高く、優先順位ＰＡ４は最も順位が低い。優先順位ＰＡ１は、室外ユニット１０から電源遮断室内ユニット３０への指示による開度変更制御である。優先順位ＰＡ２〜ＰＡ４は、電源遮断室内ユニット３０が自身への要求を出した時における開度変更制御である。優先順位ＰＡ２〜ＰＡ４における開度変更制御では、自身への要求を出した電源遮断室内ユニット３０のみが対象である。
【００４９】
優先順位ＰＡ１における開度変更制御では、室外ユニット制御部１７は、各電源遮断室内ユニット３０の室内ユニット制御部３４に対して、当該電源遮断室内ユニット３０の膨張弁３２の開度を変更するための信号を送信して、開度変更制御を行う。
【００５０】
優先順位ＰＡ２における開度変更制御では、電源遮断室内ユニット３０の室内ユニット制御部３４は、当該電源遮断室内ユニット３０の停止動作の要求を出し、その後に、開度変更制御を行う。
【００５１】
優先順位ＰＡ３における開度変更制御では、空調システム１００の冷房運転時において、電源遮断室内ユニット３０の室内ユニット制御部３４は、当該電源遮断室内ユニット３０のゴミ噛み抑制制御の要求を出し、その後に、開度変更制御を行う。ゴミ噛み抑制制御とは、膨張弁３２の弁座等にゴミ等の異物が噛み込むことによる作動不良を抑制するための制御である。具体的には、ゴミ噛み抑制制御は、膨張弁３２の開度を所定の値で一定時間維持した後に低減させる制御である。
【００５２】
優先順位ＰＡ３における開度変更制御では、空調システム１００の暖房運転時において、電源遮断室内ユニット３０の室内ユニット制御部３４は、当該電源遮断室内ユニット３０の液溜まり抑制制御の要求を出し、その後に、開度変更制御を行う。液溜まり抑制制御とは、室内熱交換器３１内に過度の液冷媒が溜まることを抑制するための制御である。具体的には、液溜まり抑制制御は、室内熱交換器３１内に溜まっている液冷媒の量に応じて、膨張弁３２の開度を所定の範囲内で増減させる制御である。
【００５３】
優先順位ＰＡ４における開度変更制御では、電源遮断室内ユニット３０の室内ユニット制御部３４は、当該電源遮断室内ユニット３０の膨張弁３２の増し締め制御の要求を出し、その後に、開度変更制御を行う。
【００５４】
電源遮断室内ユニット３０が複数存在する場合、コントローラ６０は、所定の基準で設定された優先順位（以下、「開度変更順位」と呼ぶ。）に従って、各電源遮断室内ユニット３０の膨張弁３２の開度を順番に変更する。言い換えると、コントローラ６０は、開度変更順位に従って、複数の電源遮断室内ユニット３０のそれぞれの膨張弁３２の開度変更制御を行う。
【００５５】
コントローラ６０は、複数の電源遮断室内ユニット３０のそれぞれの膨張弁３２を所定の基準に従って並べ替えて開度変更順位を設定し、設定した開度変更順位に従って開度変更制御を行う。図３は、優先順位ＰＡ１における開度変更制御を行う場合における、開度変更順位の設定の手順を表す。図４は、優先順位ＰＡ２〜４における開度変更制御を行う場合における、開度変更順位の設定の手順を表す。図３及び図４には、複数の電源遮断室内ユニット３０のそれぞれの膨張弁３２を並べ替えるための基準が示されている。
【００５６】
図３には、ステップＳ１１〜Ｓ１３が示されている。ステップＳ１１では、電源遮断室内ユニット３０の膨張弁３２は、開度が大きい順に並べ替えられる。ステップＳ１２では、ステップＳ１１において開度が同じ膨張弁３２が２つ以上あった場合に、膨張弁３２は、対応する電源遮断室内ユニット３０の容量が大きい順に並べ替えられる。ステップＳ１３では、ステップＳ１２において容量が同じ電源遮断室内ユニット３０が２つ以上あった場合に、膨張弁３２は、対応する電源遮断室内ユニット３０に割り当てられたＩＤに基づいて並べ替えられる。例えば、ステップＳ１３では、膨張弁３２は、対応する電源遮断室内ユニット３０のＩＤの昇順又は降順に並べ替えられえる。
【００５７】
膨張弁３２の開度、及び、電源遮断室内ユニット３０の容量としては、例えば、Ｃｖ値が用いられる。Ｃｖ値は、膨張弁３２の流れやすさを表す指標である。Ｃｖ値が大きいほど、所定期間内に膨張弁３２を通過する冷媒の量が多い。ステップＳ１１において、膨張弁３２の開度は、例えば、対応する室内ユニット３０の電源が遮断された時における膨張弁３２の開度（膨張弁３２の現在の開度）から算出されたＣｖ値である。ステップＳ１２において、電源遮断室内ユニット３０の容量は、例えば、当該電源遮断室内ユニット３０の膨張弁３２の全開時のＣｖ値である。
【００５８】
図４には、ステップＳ２１〜Ｓ２５が示されている。ステップＳ２１では、膨張弁３２は、対応する電源遮断室内ユニット３０が自身への要求を出した順に並べ替えられる。言い換えると、電源遮断室内ユニット３０が自身への要求を出した時刻が早い順に、対応する膨張弁３２が並べ替えられる。ステップＳ２２では、ステップＳ２１において自身への要求を出した時刻が同じ電源遮断室内ユニット３０が２つ以上あった場合に、膨張弁３２は、対応する電源遮断室内ユニット３０のドレンパンのフロートスイッチ出力が発生した順に並べ替えられる。言い換えると、電源遮断室内ユニット３０のドレンパンに所定の量のドレン水が溜まった時刻が早い順に、対応する膨張弁３２が並べ替えられる。ステップＳ２３では、ステップＳ２２においてフロートスイッチ出力の発生時刻が同じ電源遮断室内ユニット３０が２つ以上あった場合に、膨張弁３２は、開度が大きい順に並べ替えられる。ステップＳ２４では、ステップＳ２３において開度が同じ膨張弁３２が２つ以上あった場合に、膨張弁３２は、対応する電源遮断室内ユニット３０の容量が大きい順に並べ替えられる。ステップＳ２５では、ステップＳ２４において容量が同じ電源遮断室内ユニット３０が２つ以上あった場合に、膨張弁３２は、対応する電源遮断室内ユニット３０に割り当てられたＩＤに基づいて並べ替えられる。例えば、ステップＳ２５では、膨張弁３２は、対応する電源遮断室内ユニット３０のＩＤの昇順又は降順に並べ替えられえる。
【００５９】
（４）効果
本実施形態の空調システム１００では、１台の室外ユニット１０と、複数台の室内ユニット３０とが、給電ユニット４０を介して同一冷媒系統内で接続されている。このようなマルチタイプ（マルチテナント）の空調システムでは、複数の室内ユニット３０の一部の電源が遮断された場合に、電源が遮断されていない他の室内ユニット３０の運転に極力影響が及ばないようにシステム全体の運転を維持することが重要である。
【００６０】
図５は、空調システム１００全体の運転の制御フローを表す。図５に示されるように、空調システム１００全体は、通常制御モード、又は、マルチテナント制御モード（以下、「Ｍ／Ｔ制御モード」と呼ぶ。）で運転する。通常制御モードでは、１台の室外ユニットと１台の室内ユニットとからなる従来のシステムでも採用されている、通常時における運転制御が行われる。通常制御モードでは、空調システム１００の全ての室内ユニット３０の電源は遮断されておらず、外部の電源から電力の供給を受けている。通常制御モードでは、空調システム１００は、リモコン５０の操作等によって、空調運転を開始して停止状態から定常状態（通常時における運転制御が行われている状態）に移行したり、空調運転を停止して定常状態から停止状態に移行したりする。定常状態から停止状態に移行する際には、必要に応じて、油戻し制御及びデフロスト制御等が行われる。
【００６１】
通常制御モードで運転している空調システム１００は、室内ユニット３０の少なくとも一部の電源が遮断された場合、Ｍ／Ｔ制御モードに移行する（図５の実線の矢印を参照）。Ｍ／Ｔ制御モードでは、少なくとも１台の室内ユニット３０は、電源が遮断されて運転停止状態となっている。Ｍ／Ｔ制御モードでは、電源が遮断された室内ユニット３０（電源遮断室内ユニット３０）は、給電ユニット４０から電力の供給を受ける。Ｍ／Ｔ制御モードでは、複数の電源遮断室内ユニット３０が存在する場合、各電源遮断室内ユニット３０の膨張弁３２は、所定の優先順位（開度変更順位）に従って開度変更制御が行われる。具体的には、コントローラ６０は、給電ユニット４０から供給された電力を用いて、各電源遮断室内ユニット３０の膨張弁３２の開度を低減する制御を行う。Ｍ／Ｔ制御モードでは、電源遮断室内ユニット３０以外の室内ユニット３０は、通常制御モード時と同じ運転制御が行われる。
【００６２】
Ｍ／Ｔ制御モードでは、電源遮断室内ユニット３０の電源の遮断が停止した場合、当該電源遮断室内ユニット３０の膨張弁３２は、開度変更制御の対象から外される。「電源の遮断が停止した場合」とは、例えば、外部の電源からの電力供給が回復して運転が再開された場合である。Ｍ／Ｔ制御モードで運転している空調システム１００は、全ての電源遮断室内ユニット３０の電源の遮断が停止した場合、通常制御モードに移行する（図５の点線の矢印を参照）。
【００６３】
四路切換弁１２が冷房サイクル状態にある空調システム１００では、通常制御モードからＭ／Ｔ制御モードに移行した際に、全ての電源遮断室内ユニット３０は、対応する膨張弁３２の開度が所定の順番で制御された後に、運転停止状態となる。電源遮断室内ユニット３０の膨張弁３２が開いたままの状態では、室外ユニット１０の吸入配管（第１配管Ｐ１）に液冷媒が流入したり、電源遮断室内ユニット３０の室内熱交換器３１でドレン水が発生したりする。室外ユニット１０の吸入配管への液冷媒の流入は、圧縮機１１による液冷媒の吸入を招き、圧縮機１１の不具合の原因となるおそれがある。室内熱交換器３１でのドレン水の発生は、ドレンパンの水位上昇による水漏れの原因となるおそれがある。空調システム１００は、電源遮断室内ユニット３０の膨張弁３２の開度変更制御を行うことで、室外ユニット１０の吸入配管への液冷媒の流入、及び、室内熱交換器３１でのドレン水の発生を抑制する効果を奏する。
【００６４】
空調システム１００は、所定の基準で設定された開度変更順位に従って、電源遮断室内ユニット３０の膨張弁３２の開度変更制御を行うことで、上記の効果がより高くなるように、給電ユニット４０から供給される電力を各電源遮断室内ユニット３０に割り当てることができる。具体的には、開度変更順位は、室外ユニット１０の吸入配管への液冷媒の流入を引き起こしやすい室内ユニット３０の膨張弁３２が優先的に閉じられるように設定される。また、開度変更順位は、フロートスイッチ出力が発生している室内ユニット３０が存在している場合、当該室内ユニット３０の膨張弁３２が優先的に閉じられるように設定される。これにより、ドレンポンプを駆動しなくても室内ユニット３０の水漏れが抑制される。一般的に、マルチタイプ（マルチテナント）の空調システムでは、可能な限り通常制御モードと同じとなるように、室内ユニット３０の運転状態が維持されることが好ましい。そのため、空調システム１００は、開度変更順位に従って電源遮断室内ユニット３０の膨張弁３２の開度変更制御を行うことで、通常制御モードでの運転状態を長時間維持することができる。
【００６５】
また、空調システム１００では、全ての室内ユニット３０は、通信線ｃｂ２を介して、給電ユニット４０と接続されている。全ての室内ユニット３０は、電源が遮断された場合に、通信線ｃｂ２を介して、給電ユニット４０から電力の供給を受けることができる。そのため、空調システム１００では、必要に応じて室内ユニット３０を付け加えたり取り除いたりすることが容易である。
【００６６】
―第２実施形態―
第２実施形態に係る空調システム１００について、第１実施形態に係る空調システム１００との差異を中心に説明する。本実施形態に係る空調システム１００は、複数の給電ユニット４０を備える。例えば、空調システム１００が設置されている建物は、複数のフロアを有し、フロアごとに１台の給電ユニット４０が設置されている。各フロアにおいて、給電ユニット４０は、複数の室内ユニット３０に接続されている。言い換えると、空調システム１００は、フロアごとに構築されたマルチテナントシステムを有する。
【００６７】
本実施形態に係る空調システム１００では、いずれか１台の給電ユニット４０に接続されている室内ユニット３０の少なくとも一部の電源が遮断された場合に、通常制御モードからＭ／Ｔ制御モードに移行する。ある給電ユニット４０に接続されている室内ユニット３０の少なくとも一部の電源が遮断された場合、当該給電ユニット４０に接続されている室内ユニット３０の膨張弁３２の開度変更制御が行われる。ある給電ユニット４０に接続されている全ての室内ユニット３０の電源が遮断されていない場合、当該給電ユニット４０に接続されている室内ユニット３０の膨張弁３２の開度変更制御は行われない。
【００６８】
図６は、本実施形態の空調システム１００の概略構成図である。図６には、本実施形態の空調システム１００の具体例が示されている。図６において、空調システム１００が設置されている建物は、３つのフロア（テナント）Ｆ１〜Ｆ３を有し、１台の給電ユニット４０及び複数台の室内ユニット３０からなるマルチテナントシステムが各フロアに構築されている。フロアＦ１に設置されている室内ユニット３０の台数は３２台である。フロアＦ２に設置されている室内ユニット３０の台数は１６台である。フロアＦ３に設置されている室内ユニット３０の台数は５台である。
【００６９】
本実施形態の空調システム１００は、室外ユニット１０の吸入配管（第１配管Ｐ１）に液冷媒が流入する湿りリスク、及び、電源遮断室内ユニット３０の室内熱交換器３１でドレン水が発生する水漏れリスクの程度に応じて、開度変更制御及びその他の制御を行う。次に、種種の状況において空調システム１００が行う制御の具体例である第１乃至第５制御パターンについて説明する。
【００７０】
第１制御パターンは、フロアＦ１を含む少なくとも２つのフロアにおいて、通常制御モードからＭ／Ｔ制御モードに移行した場合の制御に関する。この場合、湿りリスク及び水漏れリスクが大きい。空調システム１００は、湿りリスク及び水漏れリスクを低減するために、室外ユニット１０の圧縮機１１を停止させる制御を行う。
【００７１】
第２制御パターンは、フロアＦ２及びフロアＦ３の両方において、通常制御モードからＭ／Ｔ制御モードに移行した場合の制御に関する。この場合、湿りリスク及び水漏れリスクは、第１制御パターンの時より低い。空調システム１００は、湿りリスク及び水漏れリスクを低減するために、フロアＦ２及びフロアＦ３において開度変更制御を行って運転を継続させる。
【００７２】
第３制御パターンは、フロアＦ１のみにおいて、通常制御モードからＭ／Ｔ制御モードに移行した場合の制御に関する。この場合、湿りリスク及び水漏れリスクは、第１制御パターンの時より低い。空調システム１００は、湿りリスク及び水漏れリスクを低減するために、フロアＦ１において開度変更制御を行って運転を継続させる。
【００７３】
第４制御パターンは、フロアＦ２のみにおいて、通常制御モードからＭ／Ｔ制御モードに移行した場合の制御に関する。この場合、湿りリスク及び水漏れリスクは、第２制御パターンの時より低い。空調システム１００は、湿りリスク及び水漏れリスクを低減するために、フロアＦ２において開度変更制御を行って運転を継続させる。
【００７４】
第５制御パターンは、フロアＦ３のみにおいて、通常制御モードからＭ／Ｔ制御モードに移行した場合の制御に関する。この場合、湿りリスク及び水漏れリスクは、第１乃至第４制御パターンの時より低い。空調システム１００は、開度変更制御を行わずに運転を継続させる。
【００７５】
本実施形態の空調システム１００は、通常制御モードからＭ／Ｔ制御モードに移行したフロアＦ１〜Ｆ３に基づいて湿りリスク及び水漏れリスクを算出し、当該リスクに応じて適切な制御を行うことができる。
【００７６】
―変形例―
（１）変形例Ａ
上記実施形態では、開度変更順位は、フロートスイッチ出力が発生している室内ユニット３０が存在している場合、当該室内ユニット３０の膨張弁３２が優先的に閉じられるように設定される。しかし、空調システム１００の四路切換弁１２が冷房サイクル状態にある状態において、フロートスイッチ出力が発生している室内ユニット３０の電源が遮断されると、当該室内ユニット３０の室内ファン３３は停止する。室内ファン３３が停止した室内ユニット３０の冷房能力は非常に低く、発生するドレン水の量も非常に少ない。そのため、この室内ユニット３０の膨張弁３２の開度が変更（低減）されず、膨張弁３２が開いたままの状態であっても、水漏れリスクの観点からは、室内ユニット３０の電源が遮断された直後に膨張弁３２の開度を変更して膨張弁３２を閉じる制御が行われなくてもよい。
【００７７】
また、水漏れリスクをより効果的に低減するための方法として、図４のステップＳ１１よりも先に、フロートスイッチ出力が発生して電源が遮断された室内ユニット３０の膨張弁３２を閉じ、その後の油戻し制御の実行中も閉じておく制御がある。しかし、このような制御が許されるのは、膨張弁３２を閉じても油戻し制御の実行に影響が出ない場合のみである。影響が出るか否かは、圧縮機１１の外部に排出された油の量と、圧縮機１１内部の油の量との関係で決まる。圧縮機１１の摺動部の潤滑に影響が出ない場合、上記の制御を行っても問題ない。
【００７８】
（２）変形例Ｂ
上記実施形態では、四路切換弁１２が冷房サイクル状態にある場合において、電源遮断時における、コントローラ６０による空調システム１００の動作の制御について説明した。次に、四路切換弁１２が暖房サイクル状態にある場合において、電源遮断時における、コントローラ６０による空調システム１００の動作の制御について説明する。本変形例では、空調システム１００の暖房運転時において、コントローラ６０は、冷媒回路ＲＣ内の過度の圧力上昇を抑制するために、冷媒回路ＲＣ内の圧力を監視しながら次に説明する制御を行う。
【００７９】
上記実施形態と同様に、コントローラ６０は、図２に示される優先順位ＰＡ１〜ＰＡ４に従って開度変更制御を行う。優先順位ＰＡ１における開度変更制御を行う場合、上記実施形態と同様に、コントローラ６０は、複数の電源遮断室内ユニット３０の膨張弁３２を所定の基準に従って並べ替えて開度変更順位を設定し、設定した開度変更順位に従って開度変更制御を行う。具体的には、コントローラ６０は、電源遮断時において、各電源遮断室内ユニット３０の膨張弁３２の開度を増加させて、膨張弁３２を開ける開度変更制御を行う。図７は、優先順位ＰＡ１における開度変更制御を行う場合における、開度変更順位の設定の手順を表す。図７には、複数の電源遮断室内ユニット３０の膨張弁３２を並べ替えるための基準が示されている。
【００８０】
図７には、ステップＳ３１〜Ｓ３３が示されている。ステップＳ３１では、電源遮断室内ユニット３０の膨張弁３２は、開度が小さい順に並べ替えられる。ステップＳ３２では、ステップＳ３１において開度が同じ膨張弁３２が２つ以上あった場合に、膨張弁３２は、対応する電源遮断室内ユニット３０の容量が小さい順に並べ替えられる。ステップＳ３３では、ステップＳ３２において容量が同じ電源遮断室内ユニット３０が２つ以上あった場合に、膨張弁３２は、対応する電源遮断室内ユニット３０に割り当てられたＩＤに基づいて並べ替えられる。例えば、ステップＳ３３では、膨張弁３２は、対応する電源遮断室内ユニット３０のＩＤの昇順又は降順に並べ替えられえる。
【００８１】
本変形例では、例えば、冷媒の過充填等による冷媒回路ＲＣ内の圧力の過度の上昇を抑制するため、液溜まり抑制制御の実行時に、既に開いている状態の膨張弁３２の開度を増加させる制御が行われる。しかし、この制御が行われている間、電源が遮断されていない室内ユニット３０の電源が遮断されると、当該室内ユニット３０の室内ファン３３が急停止し室内熱交換器３１における冷媒の凝縮速度が低下して、冷媒回路ＲＣ内の圧力がさらに上昇するおそれがある。そのため、コントローラ６０は、冷媒回路ＲＣ内の圧力を監視しながら開度変更制御を行うことが好ましい。コントローラ６０は、図７に示されるように、Ｃｖ値が小さい順に膨張弁３２の開度を上昇させる開度変更制御を行うことで、冷媒回路ＲＣ内の圧力の上昇を抑制することができる。
【００８２】
（３）変形例Ｃ
上記実施形態では、電源遮断室内ユニット３０が複数存在する場合、コントローラ６０は、設定した開度変更順位に従って複数の膨張弁３２の開度変更制御を行う。この場合、コントローラ６０は、複数の膨張弁３２の開度変更制御を順繰りで行ってもよい。具体的には、コントローラ６０は、所定の時間が経過するごとに、開度変更制御の対象である膨張弁３２を所定の順番に従って変更しながら、複数の膨張弁３２の開度変更制御を行ってもよい。この場合、電源遮断室内ユニット３０の状態は常に変動しているため、コントローラ６０は、開度変更制御が完了する度に開度変更順位を更新してもよい。
【００８３】
（４）変形例Ｄ
マルチテナントシステムである空調システム１００では、基本的にフロートスイッチ出力が発生するまでは、ドレンポンプの駆動は不要である。しかし、例えば、電源が遮断される直前の室内ユニット３０の冷房運転出力が最大である場合、電源が遮断された後にフロートスイッチ出力が発生していなくても、ある程度のドレン水がドレンパンに溜まっているおそれがある。そのため、電源遮断後のフロートスイッチ出力発生の可能性を下げるために、膨張弁３２の駆動が不要なタイミング（通常制御モードにおける定常状態及び停止状態等）で、コントローラ６０は、図２に示される優先順位ＰＡ１〜ＰＡ４に従ってドレンポンプを駆動してもよい。なお、複数の電源遮断室内ユニット３０からドレンポンプの駆動要求がある場合、ドレンポンプの駆動制御を順繰りで行ってもよい。具体的には、コントローラ６０は、所定の時間が経過するごとに、駆動制御の対象であるドレンポンプを所定の順番に従って変更しながら、複数のドレンポンプの駆動制御を行ってもよい。
【００８４】
（５）変形例Ｅ
室外ユニット１０は、図１に示されていない他の構成要素をさらに有してもよい。図８は、本変形例における空調システム１００の概略構成図である。図８において、室外ユニット１０は、オイルセパレータ１４、膨張弁１６、レシーバ１８及びアキュームレータ１９をさらに有する。
【００８５】
オイルセパレータ１４は、第３配管Ｐ３に取り付けられる。オイルセパレータ１４は、圧縮機１１から吐出された高圧のガス冷媒から、冷媒の中に混入している潤滑油を除去する。
【００８６】
膨張弁１６は、第５配管Ｐ５に取り付けられる。膨張弁１６は、開度調整が可能な電動弁である。膨張弁１６は、空調システム１００の運転時において、状況に応じて開度が適宜調整され、開度に応じて冷媒を減圧する。
【００８７】
レシーバ１８は、第５配管Ｐ５に取り付けられる。レシーバ１８は、膨張弁１６と液連絡配管ＬＰとの間に取り付けられる。レシーバ１８は、空調システム１００の運転状況に応じて、室外熱交換器１３及び室内熱交換器３１内の冷媒量の変化を吸収するために、冷媒を一時的に貯留する。レシーバ１８は、冷媒回路ＲＣを循環する冷媒に含まれる水分及び異物を除去するための機構を有してもよい。
【００８８】
アキュームレータ１９は、第２配管Ｐ２に取り付けられる。アキュームレータ１９は、冷媒回路ＲＣを流れる気液混合冷媒を、ガス冷媒と液冷媒とに分離し、ガス冷媒のみを圧縮機１１の吸入ポートに送る。
【００８９】
なお、図８において、室外ユニット１０は、レシーバ１８又はアキュームレータ１９を有していなくてもよい。
【００９０】
実施形態及び変形例Ａ〜Ｄにおいて説明した内容は、図８に示される空調システム１００においても適用可能である。
【００９１】
―むすび―
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【００９２】
空調システムは、電源が遮断された室内ユニットに給電ユニットから電力を効率的に供給することができる。
【符号の説明】
【００９３】
１０      室外ユニット
３０      室内ユニット
３２      膨張弁
４０      給電ユニット
６０      コントローラ
１００      空調システム
ＲＣ      冷媒回路（冷媒サイクル）
【先行技術文献】
【特許文献】
【００９４】
【特許文献１】特開２０１３−４０６９８号公報
【図１】
2020197323.tif 000003
【図２】
2020197323.tif 000004
【図３】
2020197323.tif 000005
【図４】
2020197323.tif 000006
【図５】
2020197323.tif 000007
【図６】
2020197323.tif 000008
【図７】
2020197323.tif 000009
【図８】
2020197323.tif 000010